(57)【要約】【課題】光源が発する光が照射された面の光量ムラを抑制可能な照明装置及び投写型映像表示装置を提供する。【解決手段】投写型映像表示装置１００において、反射部１１は、第１出射面１０Ｓａに対して４５度の傾きを有して対向するように配置される半反射部１１ａと、第２出射面１０Ｓｂに対して４５度の傾きを有し、半反射部１１と平行に対向するように配置される全反射部１１ｂとを有する。半反射部１１ａは、入射光の略半分を反射するとともに、入射光の略半分を透過し、全反射部１１ｂは、入射光の略全部を反射する。【選択図】図１
2010243880.tif 000002
【特許請求の範囲】
【請求項１】
光が出射される出射面を有する光源と、
前記出射面から出射される光が照射される光学素子と、
前記光源と前記光学素子との間に設けられ、前記出射面から出射される光を前記光学素子側に向かって直角に反射する反射部と
を備え、
前記出射面は、前記出射面上の中心軸に対して対称な第１出射面及び第２出射面を有し、
前記反射部は、
前記第１出射面に対して４５度の傾きを有して前記第１出射面に対向するように配置される半反射部と、
前記第２出射面に対して４５度の傾きを有して前記第１出射面に対向するとともに、前記半反射部と平行に対向するように配置される全反射部と
を有しており、
前記半反射部は、入射光の略半分を反射するとともに、入射光の略半分を透過し、
前記全反射部は、入射光の略全部を反射する
ことを特徴とする照明装置。
【請求項２】
前記半反射部は、ハーフミラーである
ことを特徴とする請求項１に記載の照明装置。
【請求項３】
光が出射される出射面を有する光源と、
前記出射面から出射される光が照射される光学素子と、
前記光学素子から出射される光を投写する投写光学系と、
前記光源と前記光学素子との間に設けられ、前記出射面から出射される光を前記光学素子側に向かって直角に反射する反射部と
を備え、
前記出射面は、前記出射面上の中心軸に対して対称な第１出射面及び第２出射面によって構成されており、
前記反射部は、
前記第１出射面に対して４５度の傾きを有して前記第１出射面に対向するように配置される半反射部と、
前記第２出射面に対して４５度の傾きを有して前記第１出射面に対向するとともに、前記半反射部と平行に対向するように配置される全反射部と
を有しており、
前記半反射部は、入射光の略半分を直角に反射するとともに、入射光の略半分を透過し、
前記全反射部は、入射光の略全部を反射する
ことを特徴とする投写型映像表示装置。
【発明の詳細な説明】
【技術分野】
【０００１】
本発明は、光源が発する光を均一化するインテグレータレンズを備える照明装置及び投写型映像表示装置に関する。
【背景技術】
【０００２】
従来、光源が発する光をスクリーンに投写する投写型映像表示装置が広く用いられている。光源としては、メタルハライドランプや高圧水銀ランプなどの放電ランプが一般的に用いられる。
【０００３】
ここで、光源の出射面における光量は、出射面の中央から端に向かうに従って徐々に小さくなる傾向がある。そのため、スクリーンに投写される投写映像に光量ムラが発生することを抑制するために、光源が発する光を均一化するインテグレータレンズが広く用いられている（例えば、特許文献１参照）。
【０００４】
インテグレータレンズは、複数の微少レンズ（以下、「セル」という。）によって構成されている。インテグレータレンズを構成するセルの数が多いほど、光量ムラをより抑制することができる。
【先行技術文献】
【特許文献】
【０００５】
【特許文献１】特開２００３−２５５４６６号公報
【発明の概要】
【発明が解決しようとする課題】
【０００６】
しかしながら、インテグレータレンズの光透過性を考慮すると、インテグレータレンズのセル数は少ないことが好ましい。また、インテグレータレンズのセル数を増やすと、インテグレータレンズの製造コストが増大してしまう。そのため、インテグレータレンズの有無に関わりなく、光量ムラを抑制したいという要請がある。
【０００７】
そこで、本発明は、上述した状況に鑑みてなされたものであり、光源が発する光が照射された面の光量ムラを抑制可能な照明装置及び投写型映像表示装置を提供することを目的とする。
【課題を解決するための手段】
【０００８】
本発明の特徴に係る照明装置は、光が出射される出射面を有する光源と、出射面から出射される光が照射される光学素子と、光源と光学素子との間に設けられ、出射面から出射される光を光学素子側に向かって直角に反射する反射部とを備え、出射面は、出射面上の中心軸に対して対称な第１出射面及び第２出射面を有し、反射部は、第１出射面に対して４５度の傾きを有して第１出射面に対向するように配置される半反射部と、第２出射面に対して４５度の傾きを有して第１出射面に対向するとともに、半反射部と平行に対向するように配置される全反射部とを有しており、半反射部は、入射光の略半分を反射するとともに、入射光の略半分を透過し、全反射部は、入射光の略全部を反射することを要旨とする。
【０００９】
本発明の特徴に係る照明装置において、半反射部は、ハーフミラーであってもよい。
【００１０】
本発明の特徴に係る照明装置において、光学素子は、出射面から出射される光が照射される照射面を有する光変調素子を含み、出射面の平面形状は、照射面の平面形状に相似する長方形であり、中心軸は、出射面の長手方向に沿って設けられていてもよい。
【００１１】
本発明の特徴に係る投写型映像表示装置は、光が出射される出射面を有する光源と、出射面から出射される光が照射される光学素子と、光学素子から出射される光を投写する投写光学系と、光源と光学素子との間に設けられ、出射面から出射される光を光学素子側に向かって直角に反射する反射部とを備え、出射面は、出射面上の中心軸に対して対称な第１出射面及び第２出射面によって構成されており、反射部は、第１出射面に対して４５度の傾きを有して第１出射面に対向するように配置される半反射部と、第２出射面に対して４５度の傾きを有して第１出射面に対向するとともに、半反射部と平行に対向するように配置される全反射部とを有しており、半反射部は、入射光の略半分を直角に反射するとともに、入射光の略半分を透過し、全反射部は、入射光の略全部を反射することを要旨とする。
【発明の効果】
【００１２】
本発明によれば、光源が発する光が照射された面の光量ムラを抑制可能な照明装置及び投写型映像表示装置を提供することができる。
【図面の簡単な説明】
【００１３】
【図１】投写型映像表示装置１００の構成を示す模式図である。
【図２】実施形態に係る光源１０の出射面１０Ｓを反射部１１側から見た平面図である。
【図３】実施形態に係る光源１０及び反射部１１の構成を示す模式図である。
【図４】実施形態に係る出射面１０Ｓから出射される光の進路の模式図である。
【図５】実施形態に係る光源１０の出射面１０Ｓにおける光量ＱＬ１０の分布を説明するための図である。
【図６】実施形態に係る反射部１１をＵＶ／ＩＲカットフィルタ１２側から見た平面図である。
【図７】実施形態に係る反射部１１の発光面８０における光量ＱＬ１１の分布を説明するための図である。
【発明を実施するための形態】
【００１４】
以下において、本発明の実施形態に係る投写型映像表示装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
（投写型映像表示装置の構成）
以下において、実施形態に係る投写型映像表示装置１００の構成について、図面を参照しながら説明する。図１は、投写型映像表示装置１００の構成を示す模式図である。
【００１７】
図１に示すように、投写型映像表示装置１００は、光源１０と、反射部１１と、ＵＶ／ＩＲカットフィルタ１２と、インテグレータレンズユニット１４と、ＰＢＳアレイ１６と、光学素子２０と、クロスダイクロイックプリズム２７と、投写レンズユニット３０とを有する。
【００１８】
光源１０は、白色光を出射するＵＨＰ（超高圧水銀ランプなど）などである。光源１０は、光が出射される出射面１０Ｓを有する。出射面１０Ｓから出射される光は、赤成分光、緑成分光及び青成分光を含む。
【００１９】
ここで、出射面１０Ｓは、第１出射面１０Ｓａ及び第２出射面１０Ｓｂを有する。図２は、光源１０の出射面１０Ｓを反射部１１側から見た平面図である。図２に示すように、第１出射面１０Ｓａと第２出射面１０Ｓｂとは、出射面１０Ｓ上の中心軸Ｐに対して対称である。本実施形態において、出射面１０Ｓの平面形状は、横長の長方形である。このような出射面１０Ｓの平面形状は、後述する液晶パネル２１の平面形状に相似する。投写型映像表示装置１００の使用状態において、出射面１０Ｓの長手方向は水平方向であり、長手方向に直交する短手方向は垂直方向である。中心軸Ｐは、出射面１０Ｓの短手方向に沿って設けられている。
【００２０】
なお、光源１０の出射面全体の平面形状は、円形や楕円形であってもよい。この場合であっても、投写型映像表示装置１００による映像表示に有効に利用される有効光は、出射面１０Ｓから出射されることに留意すべきである。すなわち、出射面１０Ｓは、光源１０の出射面全体のうち有効光を出射する領域である。出射面１０Ｓから出射された光は、反射部１１を介して、液晶パネル２１を含む光学素子２０に照射される。
【００２１】
反射部１１は、光源１０と光学素子２０との間に設けられる。反射部１１は、出射面１０Ｓから出射される光を光学素子２０側に向かって直角に反射する。反射部１１は、半反射部１１ａと全反射部１１ｂとによって構成されており、出射面１０Ｓから出射される光量ムラを抑制する機能を有する。半反射部１１ａは入射光の略半分を反射し、全反射部１１ｂは入射光の略全部を反射する。反射部１１の構成については後述する。反射部１１によって反射された光は、ＵＶ／ＩＲカットフィルタ１２に入射する。
【００２２】
ＵＶ／ＩＲカットフィルタ１２は、可視光成分（赤成分光、緑成分光及び青成分光）を透過する一方、視外光成分（例えば、赤外成分光や紫外成分光）を遮光する。
【００２３】
インテグレータレンズユニット１４は、出射面１０から出射され反射部１１によって反射された光を均一化する。具体的には、インテグレータレンズユニット１４は、インテグレータレンズ１４ａ及びインテグレータレンズ１４ｂによって構成される。
【００２４】
インテグレータレンズ１４ａ及びインテグレータレンズ１４ｂは、それぞれ、複数の微少レンズ（以下、「セル」という。）によって構成される。各セルは、光源１０が発する光が液晶パネル２１の全面に照射されるように、光源１０から出射される光を導く。なお、インテグレータレンズ１４ａ及びインテグレータレンズ１４ｂそれぞれの平面形状は、液晶パネル２１の平面形状に相似する長方形である。
【００２５】
ＰＢＳアレイ１６は、インテグレータレンズユニット１４から出射された光の偏光状態を揃える。例えば、ＰＢＳアレイ１６は、インテグレータレンズユニット１４から出射された光をＳ偏光に揃える。
【００２６】
また、投写型映像表示装置１００は、複数の液晶パネル２１（液晶パネル２１Ｒ、液晶パネル２１Ｇ、液晶パネル２１Ｂ）と、ミラー群（ダイクロイックミラー２００、ダイクロイックミラー２０１、反射ミラー２１０〜反射ミラー２１２）と、レンズ群（コンデンサレンズ２２０、コンデンサレンズ２３０Ｒ、コンデンサレンズ２３０Ｇ、コンデンサレンズ２３０Ｂ、リレーレンズ２４０〜リレーレンズ２４２）とを有する。
【００２７】
ダイクロイックミラー２００は、ＰＢＳアレイ１６から出射された光のうち、赤成分光を透過する。ダイクロイックミラー２００は、ＰＢＳアレイ１６から出射された光のうち、緑成分光及び青成分光を反射する。
【００２８】
ダイクロイックミラー２０１は、ダイクロイックミラー２００で反射された光のうち、青成分光を透過する。ダイクロイックミラー２０１は、ダイクロイックミラー２００で反射された光のうち、緑成分光を反射する。
【００２９】
反射ミラー２１０は、赤成分光を反射して赤成分光を液晶パネル２１Ｒ側に導く。反射ミラー２１１及び反射ミラー２１２は、青成分光を反射して青成分光を液晶パネル２１Ｂ側に導く。
【００３０】
コンデンサレンズ２２０は、光源１０が発する白色光を集光するレンズである。
【００３１】
コンデンサレンズ２３０Ｒは、液晶パネル２１Ｒに赤成分光が照射されるように、赤成分光を略平行光化する。コンデンサレンズ２３０Ｇは、液晶パネル２１Ｇに緑成分光が照射されるように、緑成分光を略平行光化する。コンデンサレンズ２３０Ｂは、液晶パネル２１Ｂに青成分光が照射されるように、青成分光を略平行光化する。コンデンサレンズ２３０Ｂの光出射面側には、紫外成分を遮光するＵＶカットフィルタ７０が設けられる。
【００３２】
リレーレンズ２４０〜リレーレンズ２４２は、青成分光の拡大を抑制しながら、液晶パネル２１Ｂ上に青成分光を略結像する。
【００３３】
液晶パネル２１Ｒは、赤成分光の偏光方向を回転させることによって赤成分光を変調する光変調素子である。液晶パネル２１Ｒの光入射面側には、コントラスト比を向上させる補償板２２Ｒが設けられている。
【００３４】
補償板２２Ｒの光入射面側には、一の偏光方向（例えば、Ｓ偏光）を有する光を透過して、他の偏光方向（例えば、Ｐ偏光）を有する光を遮光する入射側偏光板２３Ｒが設けられている。入射側偏光板２３Ｒの光入射面側には、入射側偏光板２３Ｒに入射する光の光量や熱負担を軽減させる入射側プリ偏光板２４Ｒが設けられている。
【００３５】
一方、液晶パネル２１Ｒの光出射面側には、後述する出射側偏光板２６Ｒに入射する光の光量や熱負担を軽減させる出射側プリ偏光板２５Ｒが設けられている。出射側プリ偏光板２５Ｒの光出射面側には、一の偏光方向（例えば、Ｐ偏光）を有する光を遮光して、他の偏光方向（例えば、Ｓ偏光）を有する光を透過する出射側偏光板２６Ｒが設けられている。
【００３６】
同様に、液晶パネル２１Ｇは、緑成分光の偏光方向を回転させることによって緑成分光を変調する光変調素子である。液晶パネル２１Ｇの光入射面側には、補償板２２Ｇ、入射側偏光板２３Ｇ及び入射側プリ偏光板２４Ｇが設けられている。一方、液晶パネル２１Ｇの光出射面側には、出射側プリ偏光板２５Ｇ及び出射側偏光板２６Ｇが設けられている。
【００３７】
同様に、液晶パネル２１Ｂは、青成分光の偏光方向を回転させることによって青成分光を変調する光変調素子である。液晶パネル２１Ｂの光入射面側には、補償板２２Ｂ、入射側偏光板２３Ｂ及び入射側プリ偏光板２４Ｂが設けられている。一方、液晶パネル２１Ｂの光出射面側には、出射側プリ偏光板２５Ｂ及び出射側偏光板２６Ｂが設けられている。
【００３８】
クロスダイクロイックプリズム２７は、液晶パネル２１Ｒ、液晶パネル２１Ｇ及び液晶パネル２１Ｂから出射された光を合成する。クロスダイクロイックプリズム２７は、投写レンズユニット３０側に合成光を出射する。
【００３９】
投写レンズユニット３０は、クロスダイクロイックプリズム２７から出射された合成光をスクリーン上などに投写する。ただし、液晶パネル２１の平面形状が横長の長方形であるので、スクリーン上には縦横比の異なる映像（例えば、横１６：縦９など）が表示される。
【００４０】
なお、液晶パネル２１、補償板２２、入射側偏光板２３、入射側プリ偏光板２４、出射側プリ偏光板２５及び出射側偏光板２６は、本実施形態に係る光学素子２０を構成することに留意すべきである。
【００４１】
（反射部の構成）
以下において、本実施形態に係る反射部１１の構成について、図面を参照しながら説明する。図３は、光源１０及び反射部１１の構成を示す模式図である。
【００４２】
反射部１１は、半反射部１１ａと全反射部１１ｂとによって構成されている。半反射部１１ａは、入射光の略半分を反射するとともに、入射光の略半分を透過する性質を有する。全反射部１１ｂは、入射光の略全部を反射する性質を有する。
【００４３】
半反射部１１ａとしては、例えば、ハーフミラー、ＰＢＳ（偏光ビームスプリッター）、ワイヤーグリッドを用いた偏光板などを用いることができる。特に、ハーフミラーは、入射光の吸収率が低いため有用である。また、全反射部１１ｂとしては、一般的なミラーを用いることができるが、これに限られるものではない。
【００４４】
なお、本実施形態において、「略半分」とは、半反射部１１ａへの入射光の光量から半反射部１１ａに吸収されてしまう光量を除いた光量の半分のことである。また、「略全部」とは、全反射部１１ｂへの入射光の光量から全反射部１１ｂに吸収されてしまう光量を除いた光量のことである。
【００４５】
半反射部１１ａは、第１出射面１０Ｓａに対向するように配置される。ただし、図３に示すように、半反射部１１ａは、第１出射面１０Ｓａに対して４５度の傾きを有している。図３に示すように、半反射部１１ａは、第１出射面１０Ｓａに対して４５度の傾きを有する第１半反射面ＨＳ１と、第１半反射面ＨＳ１の反対側に設けられる第２半反射面ＨＳ２とを有する。
【００４６】
全反射部１１ｂは、第２出射面１０Ｓｂに対向するように配置される。ただし、図３に示すように、全反射部１１ｂは、第２出射面１０Ｓｂに対して４５度の傾きを有している。また、全反射部１１ｂは、半反射部１１ａ（具体的には、第２半反射面ＨＳ２）に対向するように配置される。全反射部１１ｂは、第２半反射面ＨＳ２と平行に配置される。図３に示すように、全反射部１１ｂは、第１全反射面ＡＳ１と第２全反射面ＡＳ２とを有する。第１全反射面ＡＳ１は、第２出射面１０Ｓｂに対して４５度の傾きを有しており、第２出射面１０Ｓｂと対向するように設けられる。第２全反射面ＡＳ２は、第２半反射面ＨＳ２に対向して平行に設けられる。
【００４７】
（出射光の進路）
次に、図面を参照しながら、光源１０の出射面１０Ｓから出射される光の進路について説明する。図４は、出射面１０Ｓから出射される光の進路を模式的に説明するための図である。図４では、光の進路を矢印の向きによって示し、光量の大きさを矢印の太さによって示している。
【００４８】
図４に示すように、第１出射面１０Ｓａから出射された光Ｌａは、第１半反射面ＨＳ１に入射する。光Ｌａの略半分の光Ｌａ１は、第１半反射面ＨＳ１によって直角に反射される。また、光Ｌａの残りの略半分の光Ｌａ２は、第１半反射面ＨＳ１を透過して、第２半反射面ＨＳ２から出射される。光Ｌａ２の略全部は、第２全反射面ＡＳ２によって直角に反射する。
【００４９】
また、図４に示すように、第２出射面１０Ｓｂから出射された光Ｌｂは、第１全反射面ＡＳ１に入射する。光Ｌｂの略全部は、第１全反射面ＡＳ１によって直角に反射される。光Ｌｂは、第２半反射面ＨＳ２に入射する。光Ｌｂの略半分の光Ｌｂ１は、第２半反射面ＨＳ２透過して、第１半反射面ＨＳ１から出射される。光Ｌｂの残りの略半分の光Ｌｂ２は、第２半反射面ＨＳ２によって直角に反射され、第２全反射面ＡＳ２に入射する。光Ｌｂ２の略全部は、第２全反射面ＡＳ２によって直角に反射される。
【００５０】
（反射部１１から出射される光量分布）
まず、光源１０の出射面１０Ｓから出射される光の光量分布について説明する。図５は、出射面１０Ｓにおける光量ＱＬ１０の分布について説明するための図である。具体的には、図５は、図２の基準線Ｑ（+Ｈ〜−Ｈ）上における光量ＱＬ１０の分布を示している。
【００５１】
図５に示すように、出射面１０Ｓの光量ＱＬ１０は、出射面１０Ｓの中央から端に向かうに従って徐々に小さくなる傾向がある。このような傾向は、一般的に用いられる放物面リフレクタを用いた放電ランプの特性として周知である。
【００５２】
次に、反射部１１から出射される光の光量分布について説明する。図６は、反射部１１をＵＶ／ＩＲカットフィルタ１２側から見た平面図である。図７は、図６の基準線Ｒ（+Ｈ〜−Ｈ）上における光量ＱＬ１１の分布を示している。
【００５３】
図６に示すように、反射部１１をＵＶ／ＩＲカットフィルタ１２側から見た場合、半反射部１１ａの第１半反射面ＨＳ１と、全反射部１１ｂの第２全反射面ＡＳ２とによって１枚の発光面８０が形成される。
【００５４】
図７に示すように、発光面８０の光量ＱＬ１１は、第１半反射面ＨＳ１の中央から両端部に向かうに従って徐々に小さくなるとともに、第２全反射面ＡＳ２の中央から両端部に向かうに従って徐々に小さくなる傾向がある。
【００５５】
具体的には、光量ＱＬ１１のうち−Ｈ〜Ｒにおける光量ＱＬ１１１は、第１半反射面ＨＳ１によって反射される光Ｌａ１の光量ＱＬａ１と、第２半反射面ＨＳ２を透過する光Ｌｂ１の光量ＱＬａ１との和である。すなわち、光量ＱＬ１１１は、光量ＱＬ１０のうち−Ｈ〜Ｑの光量と、光量ＱＬ１０のうちＱ〜＋Ｈの光量との和の１／２である。
【００５６】
また、Ｒ〜＋Ｈにおける光量ＱＬ１１２は、第１半反射面ＨＳ１を透過する光Ｌａ２の光量ＱＬａ２と、第２半反射面ＨＳ２によって反射される光Ｌｂ２の光量ＱＬｂ２との和である。すなわち、光量ＱＬ１１２は、光量ＱＬ１１１と同様に、光量ＱＬ１０のうち−Ｈ〜Ｑの光量と、光量ＱＬ１０のうちＱ〜＋Ｈの光量との和の１／２である。
【００５７】
そのため、発光面８０の光量ＱＬ１１の最大値は、出射面１０Ｓの光量ＱＬ１０の最大値よりも小さく、発光面８０の光量ＱＬ１１の最小値は、出射面１０Ｓの光量ＱＬ１０の最小値よりも大きくなる。従って、発光面８０の光量ＱＬ１１の分布幅δ１１は、出射面１０Ｓの光量ＱＬ１０の分布幅δ１０よりも小さい。ただし、発光面８０から出射される全光量は、出射面１０Ｓから出射される全光量と略同等であることに留意すべきである。
【００５８】
（作用及び効果）
実施形態に係る投写型映像表示装置１００において、反射部１１は、第１出射面１０Ｓａに対して４５度の傾きを有して対向するように配置される半反射部１１ａと、第２出射面１０Ｓｂに対して４５度の傾きを有し、半反射部１１と平行に対向するように配置される全反射部１１ｂとを有する。半反射部１１ａは、入射光の略半分を反射するとともに、入射光の略半分を透過し、全反射部１１ｂは、入射光の略全部を反射する。
【００５９】
従って、半反射部１１と全反射部１１ｂとによって形成される発光面８０の光量ＱＬ１１の分布を、出射面１０Ｓの光量ＱＬ１０の分布よりも小さくすることができる。具体的には、図７に示すように、発光面８０の光量ＱＬ１１の分布幅δ１１は、出射面１０Ｓの光量ＱＬ１０の分布幅δ１０よりも小さくすることができるので、光源１０が発する光が照射された面の光量ムラを抑制することができる。
【００６０】
また、半反射部１１ａとしてハーフミラーを用いる場合には、入射光の吸収率が低いので、効率的に光の反射・透過を行なうことができる。
【００６１】
（その他の実施形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６２】
例えば、上述した実施形態では、出射面１０Ｓの平面形状は、長方形であることとしたが、これに限られるものではない。出射面１０Ｓの平面形状は、正方形、円形、楕円形などであってもよい。この場合、反射部１１や液晶パネル２１の形状は、出射面１０Ｓに対応していることが好ましい。特に、反射部１１によって形成される発光面８０や液晶パネル２１の照射面の平面形状は、出射面１０Ｓの平面形状と相似であることが好ましい。
【００６３】
また、上述した実施形態では、出射面１０Ｓの中心軸Ｐを垂直方向に沿って設けたが、水平方向に沿って設けられていてもよい。この場合、反射部１１の配置は、上記実施形態において説明した配置から９０度回転させて配置すればよい。
【００６４】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【符号の説明】
【００６５】
１０…光源、１１…反射部、１１ａ…半反射部、１１ｂ…全反射部、１２…ＵＶ／ＩＲカットフィルタ、１４…インテグレータレンズユニット、１６…ＰＢＳアレイ、２０…光学素子群、２１…液晶パネル、２２…補償板、２３…入射側偏光板、２４…入射側プリ偏光板、２５…出射側プリ偏光板、２６…出射側偏光板、２７…クロスダイクロイックプリズム、３０…投写レンズユニット、４０…シャッタ、４５…放熱板、５０…熱伝変換素子、６０…配線、７０…ＵＶカットフィルタ、８０…発光面、１００…投写型映像表示装置、２００、２０１…ダイクロイックミラー、２１０〜２１２…反射ミラー、２２０…コンデンサレンズ、２３０…コンデンサレンズ、２４０〜２４２…リレーレンズ、１１０…光源冷却装置、１２０…シャッタ冷却装置、１０Ｓ…出射面、１０Ｓａ…第１出射面、１０Ｓｂ…第２出射面、Ｐ,Ｑ…中心軸
【図１】
2010243880.tif 000003
【図２】
2010243880.tif 000004
【図３】
2010243880.tif 000005
【図４】
2010243880.tif 000006
【図５】
2010243880.tif 000007
【図６】
2010243880.tif 000008
【図７】
2010243880.tif 000009